(57)【要約】【課題】従来のミスト処理装置において、フィルタが固定方式では、目詰まり発生の可能性、オイルミストの汚れの程度、オイルミストの量及び／又は処理の迅速化等を考慮した場合、対応できない虞がある。またミスト処理装置において、遠心力を利用した構造では、前記固定方式に対し、目詰まり頻度の低下に有効性はあるが、オイルミストの汚れの程度、オイルミストの量及び／又は処理の迅速化等を考慮した場合、改良の余地がある。【構成】本発明は、開放型のケーシングと、ケーシングの吸込み側に回転自在に架承した一枚〜複数枚のミスト処理板と、ミスト処理板に無数開設した細孔と、ミスト処理板を回転する前記ケーシングに設けたモータと、ミスト処理板に対峙するように設けた吸込み手段とで構成した回転式のミスト処理板を備えたミストコレクタ装置である。従って、ミスト処理板の回転・遠心分離で、オイルと粒子との分離と、ミスト処理の効率化が図れる。【選択図】図１
2008155093.tif 000002
【特許請求の範囲】
【請求項１】
開放型のケーシングと、このケーシングの吸込み側に回転自在に架承した一枚〜複数枚のミスト処理板と、このミスト処理板に無数開設した細孔と、前記ミスト処理板を回転する前記ケーシングに設けたモータと、このミスト処理板に対峙するように設けた吸込み手段とで構成した回転式のミスト処理板を備えたミストコレクタ装置。
【請求項２】
請求項１に記載のミストコレクタ装置であって、
この吸込み手段は、前記ケーシングの吸込み側、又は排出側に設けたファンとする構成とした回転式のミスト処理板を備えたミストコレクタ装置。
【請求項３】
請求項１に記載のミストコレクタ装置であって、
この吸込み手段は、前記ケーシングの吸込み側と排出側の双方に設けたファンとする構成とした回転式のミスト処理板を備えたミストコレクタ装置。
【請求項４】
請求項１に記載のミストコレクタ装置であって、
この吸込み手段は、前記ケーシングの外付けとしたターボファン及び／又はサイクロンとする構成とした回転式のミスト処理板を備えたミストコレクタ装置。
【請求項５】
請求項１に記載のミストコレクタ装置であって、
このケーシングを筒体とし、この筒体に設けた吸込み手段は、前記ケーシングの吸込み側、又は排出側に設けたファンとする構成とした回転式のミスト処理板を備えたミストコレクタ装置。
【請求項６】
請求項１に記載のミストコレクタ装置であって、
この吸込み手段は、前記ケーシングの外付けとしたサイクロン及び／又はファンとする構成とした回転式のミスト処理板を備えたミストコレクタ装置。
【請求項７】
請求項１に記載のミストコレクタ装置であって、
このミスト処理板は、衝突板と、パンチング板と、デミスタが各一枚とするか、又はこれらの組合せとする構成とした回転式のミスト処理板を備えたミストコレクタ装置。
【請求項８】
請求項１に記載のミストコレクタ装置であって、
このケーシングの吸込み側に、オイル集塵部を形成する構成とした回転式のミスト処理板を備えたミストコレクタ装置。
【請求項９】
請求項１に記載のミストコレクタ装置であって、
このケーシングの吸込み側及び／又は排出側に、収れん部を形成する構成とした回転式のミスト処理板を備えたミストコレクタ装置。
【請求項１０】
請求項１に記載のミストコレクタ装置であって、
このミスト処理板に、羽根、突条、ブラシ等の撹拌手段を、一面又は両面に設ける構成とした回転式のミスト処理板を備えたミストコレクタ装置。
【請求項１１】
請求項１に記載のミストコレクタ装置であって、
このミスト処理板に、凹凸形状、羽根形状、渦巻形状等の撹拌手段を、一面又は両面に設ける構成とした回転式のミスト処理板を備えたミストコレクタ装置。
【発明の詳細な説明】
【技術分野】
【０００１】
本発明は、回転式のミスト処理板を備えたミストコレクタ装置に関する。
【背景技術】
【０００２】
従来、オイルミスト、溶接ヒューム等のオイルを含む汚染空気（浮遊汚染空気）等の捕集を意図した発明として、各種のミストコレクタ装置が提案されているので、その一例を説明する。
【０００３】
先ず、文献（１）は、特開２００３−２７５５２４の「ミスト回収装置」であり、その要旨は、ケーシング内の排出側（吐出側）に設けたモータと、このモータの内側に内設、又は外側に囲繞するように設けた間隔調整用のメッシュフィルタと、前記モータの前方（吸込み側）にファンを設け、このファンの前方に複数枚のフィルタ（板材）と、衝突板を嵌入する構成であり、前記モータ、メッシュフィルタ、またフィルタ等を、取付け、取外し可能とし、大容量から小容量の機能（性能）に対応できる装置（大型化の装置から小型化の装置）を提供することを意図する。
【０００４】
次に、文献（２）は、特開２００４−３３７７１６の「ミスト除去装置」であり、その要旨は、ケーシング内にファンを設け、このファンで、ケーシングに吸込んだオイルミストに旋回流を付与し（旋回オイルミスト）、この旋回オイルミストを、ケーシングの内外室に旋回流動し、オイルと粒子との分離を図り、さらにケーシングのスピンダクトを介して、この分離した流体とオイル粒子に旋回流し、旋回分離する構成であり、複数段の旋回流を利用して、分離とオイルの回収の効率化と、迅速化を図ることをも意図する。
【０００５】
また文献（３）は、特開２００６−８８０５０の「オイルミスト除去装置」であり、その要旨は、空気導入管と吐出口とを備えたケーシング内に設けた入側コレクタ（複数枚のフィルタ）と、吸込み用のファンとを配備するとともに、その下部にオイル溜部を設けた構成であり、この入側コレクタの構造の特性で、分離・捕捉効率の促進化と、目詰まり頻度の低下とを図ること、又はファンの吸込み圧損を回避すること等を意図する。
【０００６】
【特許文献１】特開２００３−２７５５２４
【特許文献１】特開２００４−３３７７１６
【特許文献１】特開２００６−８８０５０
【発明の開示】
【発明が解決しようとする課題】
【０００７】
以上で説明した文献（１）、（３）は、原則的に、フィルタが固定方式のミスト除去装置であり、目詰まりの発生の可能性と、オイルミストの汚れの程度、このオイルミストの量及び／又は処理の迅速化等を考慮した場合に、対応できない虞があり、改良の余地がある。また文献（２）は、遠心力を利用したミスト除去装置であり、目詰まり頻度を低下することに有効性はあるが、オイルミストの汚れの程度、このオイルミストの量及び／又は処理の迅速化等を考慮した場合には、改良の余地がある。
【０００８】
そして、この文献（１）〜（３）を始めとして、この種のミスト除去装置は、連続稼動することが、必須の条件であるので、仮に、稼動中に故障でも発生した場合には、加工機等の装置全体の停止という思わぬ事態となり、困窮するものである。
【０００９】
上記に鑑み本発明は、フィルタレスを達成し、ミスト処理板の回転及び／又は遠心分離を利用し、オイルと粒子との分離を図るとともに、このミスト処理板の目詰まり解消を図ること、またこの目詰まり解消等を介してメンテナンスフリーを確保すること等を意図する。
【００１０】
そして、また本発明は、オイルミストの汚れの程度、このオイルミストの量に捉われずに、稼動ができる構造とすること、また処理の迅速化等を図り、しかも稼動中に故障がなく、連続稼動が可能なミストコレクタ装置を提供すること等を意図する。
【課題を解決するための手段】
【００１１】
請求項１の発明は、フィルタレスを達成し、ミスト処理板の回転及び／又は遠心分離を利用し、オイルと粒子との分離を図るとともに、このミスト処理板の目詰まり解消を図ること、またこの目詰まり解消等を介してメンテナンスフリーを確保すること等を意図する。
【００１２】
また請求項１の発明は、オイルミストの汚れの程度、このオイルミストの量に捉われずに、稼動ができる構造とすること、また処理の迅速化等を図り、しかも稼動中に故障がなく、連続稼動が可能なミストコレクタ装置を提供すること等を意図する。
【００１３】
さらに請求項１の発明は、全体を筒体とする構造であり、持運びが可能で、かつコンパクトなミストコレクタ装置を提供すること等を意図する。
【００１４】
請求項１は、開放型のケーシングと、このケーシングの吸込み側に回転自在に架承した一枚〜複数枚のミスト処理板と、このミスト処理板に無数開設した細孔と、前記ミスト処理板を回転する前記ケーシングに設けたモータと、このミスト処理板に対峙するように設けた吸込み手段とで構成した回転式のミスト処理板を備えた回転式のミスト処理板を備えたミストコレクタ装置である。
【００１５】
請求項２の発明は、請求項１の目的を達成すること、この目的を達成するために最適な吸込み手段及び／又はその配置構造を提供することを意図する。
【００１６】
請求項２は、請求項１に記載のミストコレクタ装置であって、
この吸込み手段は、前記ケーシングの吸込み側、又は排出側に設けたファンとする構成とした回転式のミスト処理板を備えたミストコレクタ装置である。
【００１７】
請求項３の発明は、請求項１の目的を達成すること、この目的を達成するために最適な吸込み手段及び／又はその機能の効果が図れる構造を提供することを意図する。
【００１８】
請求項３は、請求項１に記載のミストコレクタ装置であって、
この吸込み手段は、前記ケーシングの吸込み側と排出側の双方に設けたファンとする構成とした回転式のミスト処理板を備えたミストコレクタ装置である。
【００１９】
請求項４の発明は、請求項１の目的を達成すること、この目的を達成するために最適な吸込み手段及び／又はその吸込み量・スピードが調節可能な構造を提供することを意図する。
【００２０】
請求項４は、請求項１に記載のミストコレクタ装置であって、
この吸込み手段は、前記ケーシングの外付けとしたターボファン及び／又はサイクロンとする構成とした回転式のミスト処理板を備えたミストコレクタ装置である。
【００２１】
請求項５の発明は、請求項１の目的を達成すること、この目的を達成するために最適なケーシングと、吸込み手段の構造を提供することを意図する。
【００２２】
請求項５は、請求項１に記載のミストコレクタ装置であって、
このケーシングを筒体とし、この筒体に設けた吸込み手段は、前記ケーシングの吸込み側、又は排出側に設けたファンとする構成とした回転式のミスト処理板を備えたミストコレクタ装置である。
【００２３】
請求項６の発明は、請求項１の目的を達成すること、この目的を達成するために最適な吸込み手段及び／又はその吸込み量・スピードが調節可能な構造を提供することを意図する。
【００２４】
請求項６は、請求項１に記載のミストコレクタ装置であって、
この吸込み手段は、前記ケーシングの外付けとしたサイクロン及び／又はファンとする構成とした回転式のミスト処理板を備えたミストコレクタ装置である。
【００２５】
請求項７の発明は、請求項１の目的を達成すること、この目的を達成するために最適なミスト処理板の構造を提供することを意図する。
【００２６】
請求項７は、請求項１に記載のミストコレクタ装置であって、
このミスト処理板は、衝突板と、パンチング板と、デミスタが各一枚とするか、又はこれらの組合せとする構成とした回転式のミスト処理板を備えたミストコレクタ装置である。
【００２７】
請求項８の発明は、請求項１の目的を達成すること、この目的を達成するために最適なオイル集塵部の構造を提供することを意図する。
【００２８】
請求項８は、請求項１に記載のミストコレクタ装置であって、
このケーシングの吸込み側に、オイル集塵部を形成する構成とした回転式のミスト処理板を備えたミストコレクタ装置である。
【００２９】
請求項９の発明は、請求項１の目的を達成すること、この目的を達成するために最適なケーシングの構造を提供することを意図する。
【００３０】
請求項９は、請求項１に記載のミストコレクタ装置であって、
このケーシングの吸込み側及び／又は排出側に、収れん部を形成する構成とした回転式のミスト処理板を備えたミストコレクタ装置である。
【００３１】
請求項１０・１１の発明は、請求項１の目的を達成すること、この目的を達成するために最適なミスト処理板の構造を提供することを意図する。
【００３２】
請求項１０は、請求項１に記載のミストコレクタ装置であって、
このミスト処理板に、羽根、突条、ブラシ等の撹拌手段を、一面又は両面に設ける構成とした回転式のミスト処理板を備えたミストコレクタ装置である。
【００３３】
請求項１１は、請求項１に記載のミストコレクタ装置であって、
このミスト処理板に、凹凸形状、羽根形状、渦巻形状等の撹拌手段を、一面又は両面に設ける構成とした回転式のミスト処理板を備えたミストコレクタ装置である。
【発明の効果】
【００３４】
請求項１の発明は、開放型のケーシングと、ケーシングの吸込み側に回転自在に架承した一枚〜複数枚のミスト処理板と、ミスト処理板に無数開設した細孔と、ミスト処理板を回転するケーシングに設けたモータと、ミスト処理板に対峙するように設けた吸込み手段とで構成した回転式のミスト処理板を備えた回転式のミスト処理板を備えたミストコレクタ装置である。
【００３５】
従って、請求項１は下記の特徴を有する。
【００３６】
「１」  フィルタレスを達成し、ミスト処理板の回転及び／又は遠心分離を利用し、オイルと粒子との分離が図れるとともに、このミスト処理板の目詰まり解消が図れ、またこの目詰まり解消等を介してメンテナンスフリーが確保できる。
【００３７】
「２」  またオイルミストの汚れの程度、このオイルミストの量に捉われずに、稼動ができる構造となること、また処理の迅速化等が図れ、しかも稼動中に故障がなく、連続稼動が可能なミストコレクタ装置を提供できる。
【００３８】
「３」  さらに全体を筒体とする構造であり、持運びが可能で、かつコンパクトなミストコレクタ装置を提供できる。
【００３９】
請求項２の発明は、請求項１に記載のミストコレクタ装置であって、
吸込み手段は、ケーシングの吸込み側、又は排出側に設けたファンとする構成とした回転式のミスト処理板を備えたミストコレクタ装置である。
【００４０】
従って、請求項２は、請求項１の目的を達成できること、この目的を達成するために最適な吸込み手段及び／又はその配置構造を提供できること等の特徴を有する。
【００４１】
請求項３の発明は、請求項１に記載のミストコレクタ装置であって、
吸込み手段は、ケーシングの吸込み側と排出側の双方に設けたファンとする構成とした回転式のミスト処理板を備えたミストコレクタ装置である。
【００４２】
従って、請求項３は、請求項１の目的を達成できること、この目的を達成するために最適な吸込み手段及び／又はその機能の効果が図れる構造を提供できること等の特徴を有する。
【００４３】
請求項４の発明は、請求項１に記載のミストコレクタ装置であって、
吸込み手段は、ケーシングの外付けとしたターボファン及び／又はサイクロンとする構成とした回転式のミスト処理板を備えたミストコレクタ装置である。
【００４４】
従って、請求項４は、請求項１の目的を達成できること、この目的を達成するために最適な吸込み手段及び／又はその吸込み量・スピードが調節可能な構造を提供できること等の特徴を有する。
【００４５】
請求項５の発明は、請求項１に記載のミストコレクタ装置であって、
ケーシングを筒体とし、筒体に設けた吸込み手段は、ケーシングの吸込み側、又は排出側に設けたファンとする構成とした回転式のミスト処理板を備えたミストコレクタ装置である。
【００４６】
従って、請求項５は、請求項１の目的を達成できること、この目的を達成するために最適なケーシングと、吸込み手段の構造を提供できること等の特徴を有する。
【００４７】
請求項６の発明は、請求項１に記載のミストコレクタ装置であって、
吸込み手段は、ケーシングの外付けとしたサイクロン及び／又はファンとする構成とした回転式のミスト処理板を備えたミストコレクタ装置である。
【００４８】
従って、請求項６は、請求項１の目的を達成できること、この目的を達成するために最適な吸込み手段及び／又はその吸込み量・スピードが調節可能な構造を提供できること等の特徴を有する。
【００４９】
請求項７の発明は、請求項１に記載のミストコレクタ装置であって、
ミスト処理板は、衝突板と、パンチング板と、デミスタが各一枚とするか、又はこれらの組合せとする構成とした回転式のミスト処理板を備えたミストコレクタ装置である。
【００５０】
従って、請求項７は、請求項１の目的を達成できること、この目的を達成するために最適なミスト処理板の構造を提供できること等の特徴を有する。
【００５１】
請求項８の発明は、請求項１に記載のミストコレクタ装置であって、
ケーシングの吸込み側に、オイル集塵部を形成する構成とした回転式のミスト処理板を備えたミストコレクタ装置である。
【００５２】
従って、請求項８は、請求項１の目的を達成できること、この目的を達成するために最適なオイル集塵部の構造を提供できること等の特徴を有する。
【００５３】
請求項９の発明は、請求項１に記載のミストコレクタ装置であって、
ケーシングの吸込み側及び／又は排出側に、収れん部を形成する構成とした回転式のミスト処理板を備えたミストコレクタ装置である。
【００５４】
従って、請求項９は、請求項１の目的を達成できること、この目的を達成するために最適なケーシングの構造を提供できること等の特徴を有する。
【００５５】
請求項１０の発明は、請求項１に記載のミストコレクタ装置であって、
ミスト処理板に、羽根、突条、ブラシ等の撹拌手段を、一面又は両面に設ける構成とした回転式のミスト処理板を備えたミストコレクタ装置である。
【００５６】
請求項１１は、請求項１に記載のミストコレクタ装置であって、
ミスト処理板に、凹凸形状、羽根形状、渦巻形状等の撹拌手段を、一面又は両面に設ける構成とした回転式のミスト処理板を備えたミストコレクタ装置である。
【００５７】
従って、請求項１０・１１は、請求項１の目的を達成できること、この目的を達成するために最適なミスト処理板の構造を提供できること等の特徴を有する。
【発明を実施するための最良の形態】
【００５８】
本発明の一例を説明する。
【００５９】
先ず、図面の説明をすると、図１は浮遊する汚染空気（一例である）を捕捉及び／又は処理する使用状態の一例を示した模式図、図２−１は第一の実施例を示した全体の断面概念図、図２−２は第一の実施例の他の一例を示した全体の断面概念図、図２−３は第一の実施例のさらに他の一例を示した全体の断面概念図、図３はケーシング及びミスト処理板の第一の実施例を示した正面図、図４−１は第一の実施例の別の一例を示した全体の断面概念図、図４−２は図４−１の正面模式図、図５は第二の実施例を示した全体の断面概念図であり、一部を断面とした概念模式図、図６は第三の実施例を示した全体の断面概念図であり、一部を断面とした概念模式図、図７−１はミスト処理板の第二の実施例を示した正面図、図７−２は図７−１の一部省略の断面図、図８−１はミスト処理板の第三の実施例を示した正面図、図８−２は図８−１の一部省略の断面図、図９はミスト処理板の第四の実施例を示した一部省略の側面図、図１０はミスト処理板の第五の実施例を示した一部省略の断面図である。
【００６０】
図１〜図４−２に示した第一の実施例を説明すると、図中１は略筒状のケーシングで、このケーシング１の吸込み側１００には複数枚のミスト処理板２が回転自在に設けられており、このミスト処理板２はケーシング１の略中央に架承したモータ４の出力軸４００に固止されており、このモータ４の出力軸４００の回転を介して回転する構造である。そして、この回転を介して吸込んだオイルミストのオイルを、ケーシング１の内壁面１ａに向って分離かつ飛散する（遠心分離）。そして、このミスト処理板２に設けた無数の細孔２００を介して異物（浮遊ゴミ）の分離と、オイルの粒子化と、オイルと水との分離とを図る。そして、内壁面１ａとミスト処理板２との間には、僅かな空間５を設けてあり、内壁面１ａに付着したオイルの流路としての役割と、ミスト処理板２のスムーズな回転を保証する。
【００６１】
そして、このオイルの流れを模式的に示すと、回転（望ましくは高速回転）するミスト処理板２を介して、オイルをケーシング１の内周面１ａに付着させるとともに、この内壁面１ａに付着したオイルは、ミスト処理板２の中心の空気の流れと、内壁面１ａの滞留空気との相関関係を介して、吸込み側１００に誘導される。この誘導されたオイルの流れは後述する。
【００６２】
尚、このミスト処理板２は、この一例では、三枚構造であり、同じ構造のものを三枚組とするが、この枚数は限定されない。そして、この枚数を増減することで、前述したオイルミストの汚れの程度、このオイルミストの量や、処理の迅速化、経済性等を考慮する。またこのミスト処理板２は、その細孔２００と、盲部２０１との可変的な組合せがあり、例えば、一枚のミスト処理板２の細孔２００の後に、次のミスト処理板２の盲部２０１が、そして、次にミスト処理板２の細孔２００が設けられる構造、また細孔２００が連通する構造、細孔２００の開口位置が偏倚する構造等の如く、多様な構造が採用できる装置となっている。そして、ミスト処理板２の先端（吸込み側１００）にあるものを衝突板として利用すること、またミスト処理板２を山形形状とすること、細孔２００を少なくするか、盲部２０１のみとするか等の構造も可能である。そして、このミスト処理板２の山形形状、また細孔２００と、盲部２０１等の構造は、他のミスト処理板２にも採用し、多用途、多目的に利用することも可能である。
【００６３】
図中６は吸込み手段として機能するファンで、このファン６は、図２−１ではケーシング１の排出側１０１に設けられている。また図２−２では、吸込み側１００に設けられている。さらに図２−３では、吸込み側１００と排出側１０１とにそれぞれ設けられている。この各例において、ファン６を何れの方向に設置しても、その効果と特徴は略同じであるが、双方に設置する例では、その効果と特徴の拡充が期待できる。尚、この図２−１〜図２−３を選択することで、汎用性と、効率化、又はユーザの包括的な要望に応え得る利点がある。そして、このファン６はケーシング１に設けたモータ７で駆動される。図中７００はモータ７の出力軸を示しており、この出力軸７００にファン６が固止されている。
【００６４】
またこの第一の実施例では、図２−１〜図２−３に示したように、オイルの飛散防止を図る囲込み折曲げ鍔部１ｂを形成する構造と、図４−１に示すオイル溜部１ｃを設ける構造等が有効である。この構造の特徴を説明すると、図２−１〜図２−３に示した囲込み折曲げ鍔部１ｂを形成する構造では、吸込みオイルミストとの衝突を回避し、この箇所にオイルを捕捉すること、効率的な分離及び／又は捕捉が図れること等が考えられる。また図４−１に示したオイル溜部１ｃを設ける構造では、オイルの捕捉と、その誘導が図れること、又はこのオイル溜部１ｃを設ける一例では、ミスト処理板２の拡径を介して、分離効率の拡充と、効率化が図れること等の有益性を備えている。尚、このオイル溜部１ｃは、ケーシング１の全周に設ける構成だけでなく、部分的に設ける構成も採用できる。この部分的に設ける構造では、風の流れを確保でき、かつその風量確保に有益である。
【００６５】
次に、図５に示した第二の実施例では、ケーシング１の吸込み側１００と排出側１０１に絞り部１０３、１０４を設け、ケーシング１内に、オイルミストを集中的に吸込み、ミスト処理板２への衝突の効率化、分離の効率化等を図るとともに、オイルミストをケーシング１内に留め置き、オイルの粒子化と、オイルと水又は異物との効率的で、適確な分離とを図ること等を意図する。そして、この例では、排出側１０１にはブロア１０を設け、このブロア１０を吸込み手段とする一例であり、その他及び／又は作用等は前述の例に準ずる。尚、図中２０６は、オイル溜り用の補助板を示す。この補助板２０６は、前述したオイル溜部１ｃと略同じ効果が期待できる。また部分的に設けることも可能であり、その効果は、前述の例に準ずる。
【００６６】
そして、図６に示した第三の実施例では、ケーシング１の吸込み側１００と排出側１０１に絞り部１０３、１０４を設け、ケーシング１内に、オイルミストを集中的に吸込み、ミスト処理板２への衝突の効率化、分離の効率化等を図るとともに、オイルミストをケーシング１内に留め置き、オイルの粒子化と、オイルと水又は異物との効率的で、適確な分離とを図ること等を意図する。そして、この例では、排出側１０１にはサイクロン１１及び／又はブロア１０を設け、このサイクロン１１及び／又はブロア１０を吸込み手段とする一例であり、その他及び／又は作用等は前述の例に準ずる。そして、この例では、遠心分離を目的とするサイクロン１１を配備することから、微細な異物及び／又は同ミストの分離の確実性と、清澄化の達成と、全てのオイルミストの条件に符合できる特徴とを有する有益性がある。
【００６７】
そして、図示しないが、ミスト処理板２の前後には、必要によりフィルタ、又はこれに類する処理部材を設ける構造もあり得る。この例では、加工機２０に直接配管（図示せず）を介して直結方式で使用することも可能である。そして、この例では、前述のフィルタ、集塵手段等の処理部材を付設することで、切削屑、研磨屑、塵埃等の異物の分離・排除も可能である。
【００６８】
そして、図７−１〜図１０は、ミスト処理板２の第二の実施例〜第五の実施例を示したものであり、図７−１、図７−２はミスト処理板２を凹凸の花弁形状２０２とした構造であり、この花弁形状２０２を撹拌手段として活用することで、例えば、ケーシング１の内壁面１ａへの拡散、オイルミストの撹拌、又は吸込み力の強化等として有益である（第三、第四の実施例も同じ）。また図８−１、図８−２はミスト処理板２に、中心に向って低くなった（一例である）螺旋形状の羽根２０３を付設した構造であり、この羽根２０３を撹拌手段として活用する。さらに図９はミスト処理板２の全体を凹凸の曲面形状２０４とした構造であり、この曲面形状２０４を撹拌手段として活用する。さらに図１０はミスト処理板２に、ブラシ２０５を植設した構造であり、このブラシ２０５を撹拌手段として活用するものであり、前述の第二〜第四の実施例に準ずる。またこのブラシ２０５は、オイル粒子の拡大にも活用する（他の実施例も同じと考えられる）。尚、上記図面では撹拌手段を一面に設けているが、両面に設ける構成とすることも可能である。
【００６９】
また本発明のミストコレクタ装置は、図１に示したように、例えば、加工機２０の近傍又は所定の箇所に設置され、加工時に発生するオイルミスト、溶接ヒューム等のオイルを含む汚染空気等を捕集し、分離処理した後に、再利用する循環型のミストコレクタ装置である。そして、また場合により、切削屑、研磨屑、塵埃等の異物の分離・排除も可能である。
【００７０】
図中、矢印において、「イ」は空気の流れ、「ロ」はオイルの流れをそれぞれ示す。
【図面の簡単な説明】
【００７１】
【図１】図１は浮遊する汚染空気を捕捉及び／又は処理する使用状態の一例を示した模式図
【図２−１】図２−１は第一の実施例を示した全体の断面概念図
【図２−２】図２−２は第一の実施例の他の一例を示した全体の断面概念図
【図２−３】図２−３は第一の実施例のさらに他の一例を示した全体の断面概念図
【図３】図３はケーシング及びミスト処理板の第一の実施例を示した正面図
【図４−１】図４−１は第一の実施例の別の一例を示した全体の断面概念図
【図４−２】図４−２は図４−１の正面模式図
【図５】図５は第二の実施例を示した全体の断面概念図であり、一部を断面とした概念模式図
【図６】図６は第三の実施例を示した全体の断面概念図であり、一部を断面とした概念模式図
【図７−１】図７−１はミスト処理板の第二の実施例を示した正面図
【図７−２】図７−２は図７−１の一部省略の断面図
【図８−１】図８−１はミスト処理板の第三の実施例を示した正面図
【図８−２】図８−２は図８−１の一部省略の断面図
【図９】図９はミスト処理板の第四の実施例を示した一部省略の側面図
【図１０】図１０はミスト処理板の第五の実施例を示した一部省略の断面図
【符号の説明】
【００７２】
１                ケーシング
１００            吸込み側
１０１            排出側
１０３            絞り部
１０４            絞り部
１ａ              内壁面
１ｂ              折曲げ鍔部
１ｃ              オイル溜部
２                ミスト処理板
２００            細孔
２０１            盲部
２０２            花弁形状
２０３            羽根
２０４            曲面形状
２０５            ブラシ
２０６            補助板
４                モータ
４００            出力軸
５                空間
６                ファン
７                モータ
７００            出力軸
１０              ブロア
１１              サイクロン
２０              加工機
【図１】
2008155093.tif 000003
【図２−１】
2008155093.tif 000004
【図２−２】
2008155093.tif 000005
【図２−３】
2008155093.tif 000006
【図３】
2008155093.tif 000007
【図４−１】
2008155093.tif 000008
【図４−２】
2008155093.tif 000009
【図５】
2008155093.tif 000010
【図６】
2008155093.tif 000011
【図７−１】
2008155093.tif 000012
【図７−２】
2008155093.tif 000013
【図８−１】
2008155093.tif 000014
【図８−２】
2008155093.tif 000015
【図９】
2008155093.tif 000016
【図１０】
2008155093.tif 000017